(57)【要約】【課題】本発明は、バッテリー保護システムおよびバッテリー保護方法に関する。【解決手段】第１バッテリーセルおよび第２バッテリーセルが並列に連結された少なくとも一つのバッテリーと、バッテリーセルの正極を連結する第１ラインと、前記第１バッテリーセルと第２バッテリーセルの負極を連結する第２ラインと、前記バッテリーの正極と前記保護モジュールを連結する第３ラインと、前記バッテリーの負極と前記保護モジュールを連結する第４ラインと、前記少なくとも一つのバッテリー電圧を測定し、前記少なくとも一つのバッテリーの充電または放電を遮断する保護動作を行う保護モジュールとを含み、前記保護モジュールは、前記測定された少なくとも一つのバッテリー電圧と前記第１ラインによる第１電圧降下、前記第２ラインによる第２電圧降下、前記第３ラインによる第３電圧降下および前記第４ラインによる第４電圧降下を利用して前記保護動作を行う。【選択図】図１
2015050930.tif 000002
【特許請求の範囲】
【請求項１】
第１バッテリーセルおよび第２バッテリーセルが並列に連結された少なくとも一つのバッテリーと、
前記第１バッテリーセルと第２バッテリーセルの正極を連結する第１ラインと、
前記第１バッテリーセルと第２バッテリーセルの負極を連結する第２ラインと、
前記バッテリーの正極と保護モジュールを連結する第３ラインと、
前記バッテリーの負極と前記保護モジュールを連結する第４ラインと、
前記少なくとも一つのバッテリー電圧を測定し、前記少なくとも一つのバッテリーの充電または放電を遮断する保護動作を行う保護モジュールとを含み、
前記保護モジュールは、前記測定された少なくとも一つのバッテリー電圧と前記第１ラインによる第１電圧降下、前記第２ラインによる第２電圧降下、前記第３ラインによる第３電圧降下および前記第４ラインによる第４電圧降下を利用して前記保護動作を行うバッテリー保護システム。
【請求項２】
前記保護モジュールは、
前記少なくとも一つのバッテリーの測定された正極電位から前記第１電圧降下および第３電圧降下を引いて前記第１バッテリーセルの正極電位を生成し、前記少なくとも一つのバッテリーの測定された負極電位に前記第２電圧降下および前記第４電圧降下を加えて前記第１バッテリーセルの負極電位を生成し、前記生成された前記第１バッテリーセルの正極電位と負極電位の差を第１バッテリーセル電圧値として生成する請求項１に記載のバッテリー保護システム。
【請求項３】
前記保護モジュールは、
前記少なくとも一つのバッテリーの測定された正極電位から前記第３電圧降下を引いて前記第２バッテリーセルの正極電位を生成し、前記少なくとも一つのバッテリーの測定された負極電位に前記第４電圧降下を加えて前記第２バッテリーセルの負極電位を生成し、前記生成された前記第２バッテリーセルの正極電位と負極電位の差を第２バッテリーセル電圧値として生成する請求項２に記載のバッテリー保護システム。
【請求項４】
前記保護モジュールは、前記測定された少なくとも一つのバッテリー電圧が既設定された第１動作電圧以上の場合、前記保護動作を行う保護部を含む請求項３に記載のバッテリー保護システム。
【請求項５】
前記保護モジュールは、制御回路を制御する制御部を含み、
前記制御部は、前記第１バッテリーセル電圧値を生成し、前記少なくとも一つのバッテリーの測定された電圧が前記第１動作電圧以上であっても前記第１バッテリーセル電圧値が既設定された第２動作電圧以上の場合のみに前記保護部の前記保護動作を行うように制御する請求項４に記載のバッテリー保護システム。
【請求項６】
前記保護モジュールは、制御回路を制御する制御部を含み、
前記制御部は、前記第２バッテリーセル電圧値を生成し、前記少なくとも一つのバッテリーの測定された電圧が前記第１動作電圧以上であっても前記第２バッテリーセル電圧値が既設定された第２動作電圧以上の場合のみに前記保護部の前記保護動作を行うように制御する請求項４に記載のバッテリー保護システム。
【請求項７】
前記保護部は、前記第１動作電圧を調整する第１動作電圧調整部をさらに含み、
前記制御部は、前記第２動作電圧を調整する第２動作電圧調整部をさらに含む請求項５又は６に記載のバッテリー保護システム。
【請求項８】
第１バッテリーセルおよび第２バッテリーセルが並列に連結された少なくとも一つのバッテリーと、
前記第１バッテリーセルと第２バッテリーセルの正極を連結する第１ラインと、
前記第１バッテリーセルと第２バッテリーセルの負極を連結する第２ラインと、
前記バッテリーの正極と保護モジュールを連結する第３ラインと、
前記バッテリーの負極と前記保護モジュールを連結する第４ラインと、
前記少なくとも一つのバッテリー電圧を測定し、前記少なくとも一つのバッテリーの充電または放電を遮断する保護動作を行う保護モジュールとを含むバッテリー保護システムのバッテリー保護方法において、
前記少なくとも一つのバッテリー電圧を測定するステップと、
前記少なくとも一つのバッテリーの測定された正極電位から第１電圧降下および第３電圧降下を引いて前記第１バッテリーセルの正極電位を生成し、前記少なくとも一つのバッテリーの測定された負極電位に第２電圧降下および第４電圧降下を加えて前記第１バッテリーセルの負極電位を生成し、前記生成された前記第１バッテリーセルの正極電位と負極電位の差を第１バッテリーセル電圧値として生成するステップとを含むバッテリー保護方法。
【請求項９】
前記少なくとも一つのバッテリーの測定された正極電位から前記第３電圧降下を引いて前記第２バッテリーセルの正極電位を生成し、前記少なくとも一つのバッテリーの測定された負極電位に前記第４電圧降下を加えて前記第２バッテリーセルの負極電位を生成し、前記生成された前記第２バッテリーセルの正極電位と負極電位の差を第２バッテリーセル電圧値として生成するステップをさらに含む請求項８に記載のバッテリー保護方法。
【請求項１０】
測定された前記少なくとも一つのバッテリー電圧が既設定された第１動作電圧以上の場合、前記保護動作を行うステップをさらに含む請求項９に記載のバッテリー保護方法。
【請求項１１】
前記保護動作を行うステップは、前記測定された少なくとも一つのバッテリー電圧が前記第１動作電圧以上であっても前記第１バッテリーセル電圧値が既設定された第２動作電圧以上の場合のみに保護部の前記保護動作を行うステップを含む請求項１０に記載のバッテリー保護方法。
【請求項１２】
前記保護動作を行うステップは、前記少なくとも一つのバッテリーの前記測定された電圧が前記第１動作電圧以上であっても前記第２バッテリーセル電圧値が既設定された第２動作電圧以上の場合のみに前記保護部の前記保護動作を行うステップを含む請求項１１に記載のバッテリー保護方法。
【請求項１３】
第１動作電圧調整ステップまたは第２動作電圧調整ステップをさらに含む請求項１２に記載のバッテリー保護方法。
【発明の詳細な説明】
【技術分野】
【０００１】
本発明は、バッテリー保護システムおよびこれを利用したバッテリー保護方法に関し、より詳しくは、充電時は電圧の高いバッテリーセルの電圧降下を考慮し、放電時は電圧の低いバッテリーセルの電圧降下を考慮して、バッテリー保護の正確度を高める技術に関する。
【背景技術】
【０００２】
一般に最近多様な携帯機器が登場して広く使用されることにつれて、携帯機器に電源を供給するバッテリーの重要性が日々増大している。
【０００３】
これにより、バッテリーの容量を増加させて携帯機器の使用時間を延長することの他にも、バッテリー使用の安全性の増大およびバッテリー残留容量の正確な測定など、バッテリーの機能向上のための課題の解決のための努力が続けられている。
【０００４】
このため、最近の携帯用電子機器のためのバッテリーは、数個のバッテリーセルとバッテリー残量の測定のための各種センサーおよび保護回路などを含むバッテリーパックの形態で製造される。
【発明の概要】
【発明が解決しようとする課題】
【０００５】
しかし、従来のバッテリーパックには、並列の構造による電圧降下、または保護部の電圧降下による誤作動を考慮しないという問題点があった。
【０００６】
本発明は、上述した問題点を克服するためのものであって、本発明に係るバッテリー保護システムおよびこれを利用したバッテリー保護方法は、バッテリーセルの並列構造による電圧降下を考慮して、バッテリーセルの電圧測定正確度を高めるためのものである。
【０００７】
また、本発明に係るバッテリー保護システムおよびこれを利用したバッテリー保護方法は、バッテリーセル保護部の誤作動を防止するためのものである。
【０００８】
本発明が目的とする技術的課題は、以上で言及した技術的課題に制限されず、言及されないまた他の技術的課題は、本発明の記載から当該分野における通常の知識を有する者に明確に理解できるはずである。
【課題を解決するための手段】
【０００９】
本発明に係るバッテリー保護システムは、第１バッテリーセルおよび第２バッテリーセルが並列に連結された少なくとも一つのバッテリーと、前記第１バッテリーセルと第２バッテリーセルの正極を連結する第１ラインと、前記第１バッテリーセルと第２バッテリーセルの負極を連結する第２ラインと、前記バッテリーの正極と保護モジュールを連結する第３ラインと、前記バッテリーの負極と前記保護モジュールを連結する第４ラインと、前記少なくとも一つのバッテリー電圧を測定し、前記少なくとも一つのバッテリーの充電または放電を遮断する保護動作を行う保護モジュールとを含み、前記保護モジュールは、前記測定された少なくとも一つのバッテリー電圧と前記第１ラインによる第１電圧降下、前記第２ラインによる第２電圧降下、前記第３ラインによる第３電圧降下および前記第４ラインによる第４電圧降下を利用して前記保護動作を行う。
【００１０】
また、本発明に係る保護モジュールは、前記少なくとも一つのバッテリーの測定された正極電位から前記第１電圧降下および第３電圧降下を引いて前記第１バッテリーセルの正極電位を生成し、前記少なくとも一つのバッテリーの測定された負極電位に前記第２電圧降下および前記第４電圧降下を加えて前記第１バッテリーセルの負極電位を生成し、前記生成された前記第１バッテリーセルの正極電位と負極電位の差を前記第１バッテリーセル電圧値として生成する。
【００１１】
また、本発明に係る保護モジュールは、少なくとも一つのバッテリーの測定された正極電位から前記第３電圧降下を引いて前記第２バッテリーセルの正極電位を生成し、前記少なくとも一つのバッテリーの測定された負極電位に前記第４電圧降下を加えて前記第２バッテリーセルの負極電位を生成し、前記生成された前記第２バッテリーセルの正極電位と負極電位の差を前記第２バッテリーセル電圧値として生成する。
【００１２】
また、本発明に係る保護モジュールは、測定された少なくとも一つのバッテリー電圧が既設定された第１動作電圧以上の場合、前記保護動作を行う保護部を含む。
【００１３】
また、本発明に係る保護モジュールは、制御回路を制御する制御部を含み、前記制御部は、前記第１バッテリーセル電圧値を生成し、前記少なくとも一つのバッテリーの測定された電圧が前記第１動作電圧以上であっても前記第１バッテリーセル電圧値が既設定された第２動作電圧以上の場合のみに前記保護部の前記保護動作を行うように制御する。
【００１４】
また、本発明に係る保護部は、前記第１動作電圧を調整する第１動作電圧調整部をさらに含み、制御部は、前記第２動作電圧を調整する第２動作電圧調整部をさらに含む。
【００１５】
また、本発明に係るバッテリー保護システムのバッテリー保護方法は、少なくとも一つのバッテリー電圧を測定するステップと、前記少なくとも一つのバッテリーの測定された正極電位から前記第１電圧降下および第３電圧降下を引いて前記第１バッテリーセルの正極電位を生成し、前記少なくとも一つのバッテリーの測定された負極電位に前記第２電圧降下および前記第４電圧降下を加えて前記第１バッテリーセルの負極電位を生成し、前記生成された前記第１バッテリーセルの正極電位と負極電位の差を前記第１バッテリーセル電圧値として生成するステップとを含む。
【００１６】
また、本発明に係る保護方法は、少なくとも一つのバッテリーの測定された正極電位から前記第３電圧降下を引いて前記第２バッテリーセルの正極電位を生成し、前記少なくとも一つのバッテリーの測定された負極電位に前記第４電圧降下を加えて前記第２バッテリーセルの負極電位を生成し、前記生成された前記第２バッテリーセルの正極電位と負極電位の差を前記第２バッテリーセル電圧値として生成するステップをさらに含む。
【００１７】
また、本発明に係る保護方法は、測定された前記少なくとも一つのバッテリー電圧が既設定された第１動作電圧以上の場合、前記保護動作を行うステップをさらに含む。
【００１８】
また、本発明に係る保護方法の保護動作を行うステップは、前記測定された少なくとも一つのバッテリー電圧が前記第１動作電圧以上であっても前記第１バッテリーセル電圧値が既設定された第２動作電圧以上の場合のみに前記保護部の前記保護動作を行うステップを含む。
【００１９】
また、本発明に係る保護方法の保護動作を行うステップは、前記少なくとも一つのバッテリーの前記測定された電圧が前記第１動作電圧以上であっても前記第２バッテリーセル電圧値が既設定された第２動作電圧以上の場合のみに前記保護部の前記保護動作を行うステップを含む。
【００２０】
また、本発明に係る保護方法は、第１動作電圧または第２動作電圧調整ステップをさらに含む。
【発明の効果】
【００２１】
本発明に係るバッテリー保護システムおよびこれを利用したバッテリー保護方法は、バッテリーセルの並列構造による電圧降下を考慮してバッテリーセルの電圧測定正確度を高める効果がある。
【００２２】
また、本発明に係るバッテリー保護システムおよびこれを利用したバッテリー保護方法は、バッテリーセル保護部が誤作動を防止する効果がある。
【図面の簡単な説明】
【００２３】
【図１】本発明の実施形態に係るバッテリー保護システムの構成を示した図面である。
【図２】本発明の実施形態に係るバッテリー保護方法を示したフローチャートである。
【発明を実施するための形態】
【００２４】
以下、添付の図面を参考として本発明の実施形態について、本発明が属する技術分野における通常の知識を有する者が容易に実施できるように詳しく説明する。しかし、本発明は様々な異なる形態で実現でき、以下で説明する実施形態に限定されない。また、図面で本発明を明確に説明するために、説明上不要な部分は省略し、明細書全体にわたって同一または類似の構成要素については同一の参照符号を付した。
【００２５】
明細書全体において、ある部分がある構成要素を「含む」とすると、これは、特に反対の記載がない限り、他の構成要素を除外するのではなく、他の構成要素をさらに含むことができることを意味する。また、明細書に記載された「〜部」、「基」、「モジュール」等の用語は、少なくとも一つの機能や動作を処理する単位を意味し、これは、ハードウェアやソフトウェア、またはハードウェア及びソフトウェアの結合で実現されることができる。
【００２６】
図１は、本発明の実施形態に係るバッテリー保護システムの構成を示した図面である。
【００２７】
本発明の実施形態に係るバッテリー保護システム１は、バッテリー部２０、保護モジュール３０を含み、バッテリー部２０の電圧を測定し、測定されたバッテリー部２０の電圧値を利用して保護動作を行う。
【００２８】
本発明において保護動作とは、測定されたバッテリー部２０の少なくとも一つのバッテリーの電圧を測定し、測定された電圧が動作電圧以上の場合、バッテリー部２０の負荷（図示せず）、充電器（図示せず）のような外部回路と電気的に連結を遮断させる保護動作を意味する。
【００２９】
バッテリー部２０は、複数のバッテリーセル２１１、２１２が並列に連結された第１バッテリー２１０、複数のバッテリーセル２２１、２２２が並列に連結された第２バッテリー２２０および複数のバッテリーセル２３１、２３２が並列に連結された第３バッテリー２３０を含む。
【００３０】
保護モジュール３０は、複数の測定端子３１１乃至３１４、制御部３３０および保護部３４０を含む。
【００３１】
図１に示すように、第１バッテリーのバッテリーセル２１１とバッテリーセル２１２の正極は、第１ラインＬ１で連結されており、バッテリーセル２１１とバッテリーセル２１２の負極は第２ラインＬ１で連結されている。
【００３２】
第２バッテリーのバッテリーセル２２１とバッテリーセル２２２の正電極は第５ラインＬ５で連結されており、バッテリーセル２２１とバッテリーセル２２２の負電極は第６ラインＬ６で連結されている。
【００３３】
第３バッテリーのバッテリーセル２３１とバッテリーセル２３２の正電極は第８ラインＬ８で連結されており、バッテリーセル２３１とバッテリーセル２３２の負電極は第９ラインＬ９で連結されている。
【００３４】
第３ラインＬ３は第１ラインＬ１と連結されており、第４ラインＬ４は第２ラインＬ２および第５ラインＬ５に連結されている。第７ラインＬ７は第６ラインＬ６および第８ラインＬ８に連結されており、第１０ラインＬ１０は第９ラインＬ９に連結されている。
【００３５】
保護モジュール３０は、測定端子３１１乃至３１４、選択部３２０、制御部３３０および保護部３４０を含む。
【００３６】
保護モジュール３０の測定端子３１１と第３ラインＬ３が連結されており、測定端子３１２と第４ラインＬ４が連結されている。測定端子３１３と第７ラインＬ７が連結されており、測定端子３１４と第１０ラインＬ１０が連結されている。
【００３７】
選択部３２０は、制御部３３０の選択制御信号ＣＯＮＴ１により選択された少なくともいずれか一つのバッテリーに対応する複数の測定端子を選択する。選択部３２０は、選択された複数の測定端子を通して選択された少なくとも一つのバッテリーの電圧の入力を受けて制御部３３０および保護部３４０に伝送する。
【００３８】
例えば、選択部３２０は、第１バッテリー２１０を選択する選択制御信号ＣＯＮＴ１により第１バッテリー２１０に対応する測定端子３１１および測定端子３１２を選択する。選択部３２０は、第１バッテリー２１０の正電極と連結された端子３１１を通じて第１バッテリー２１０の正電極電位の入力を受ける。選択部３２０は、正電極ラインＰＬ１で第１バッテリー２１０の正電極電位を制御部３２０に伝送し、正電極ラインＰＬ２で第１バッテリー２１０の正電極電位を保護部３４０に伝送する。選択部３２０は、第１バッテリー２１０の負電極と連結された端子３１２を通じて第１バッテリー２１０の負電極電位の入力を受ける。選択部３２０は、負電極ラインＮＬ１で第１バッテリー２１０の負電極電位を制御部３２０に伝送し、負電極ラインＮＬ２で第１バッテリー２１０の負電極電位を保護部３４０に伝送する。
【００３９】
保護部３４０は、少なくとも一つのバッテリーの正電極および負電極電位を利用して選択されたバッテリー部２０の少なくとも一つのバッテリーの電圧を測定し、測定された電圧が保護部３４０に既設定された第１動作電圧以上の場合、保護動作を行う。
【００４０】
また、保護部３４０は、選択されたバッテリー部２０の少なくともいずれか一つのバッテリーの電圧を測定し、測定された電圧が保護部３４０に既設定された第１動作電圧以上の場合であっても、制御部３３０の保護制御信号ＣＯＮＴ２により保護動作を行ってもよいし、行わなくてもよい。
【００４１】
例えば、保護部３４０は、選択された第１バッテリー２１０の電圧を測定する。保護部３４０は、測定された第１バッテリー２１０の電圧が第１動作電圧以上でかつ保護制御信号ＣＯＮＴ２に保護動作遂行信号が含まれている場合、保護動作を行い、測定された第１バッテリー２１０の電圧が第１動作電圧以上であっても、保護制御信号ＣＯＮＴ２に保護動作遂行信号が含まれていない場合、保護動作を行わなくてもよい。
【００４２】
また、保護部３４０は、第１動作電圧調整部（図示せず）をさらに含み、第１動作電圧を調整することができる。
【００４３】
制御部３３０は、バッテリー部２０の少なくともいずれか一つのバッテリーを選択し、選択された少なくとも一つのバッテリーに対応する選択制御信号ＣＯＮＴ１を生成して選択部３２０に伝送する。
【００４４】
制御部３３０は、複数のバッテリーセル２１１、２１２、２２１、２２２、２３１、３３２を連結する複数のラインＬ１、Ｌ２、Ｌ５、Ｌ６、Ｌ８、Ｌ９、およびバッテリー部２０と保護モジュール３０を連結する複数のラインＬ３、Ｌ４、Ｌ７、Ｌ１０によって発生する複数の電圧降下を利用して複数のバッテリーセル２１１、２１２、２２１、２２２、２３１、３３２のバッテリーセル電圧値をそれぞれ生成する。制御部３３０は、生成された複数のバッテリーセル電圧値が既設定された第２動作電圧以上の場合、保護動作信号を含む保護制御信号ＣＯＮＴ２を生成して保護部３４０に伝送する。
【００４５】
例えば、制御部３３０は、第１バッテリー２１０の測定された正極電位に第１ラインＬ１による第１電圧降下および第３ラインＬ３による第３電圧降下を引いた値で、前記第１バッテリーセル正極電位を生成する。制御部３３０は、第１バッテリー２１０の測定された負極電位に第２ラインＬ２による第２電圧降下および第４ラインＬ４による第４電圧降下を加えて第１バッテリーセル２１１負極電位を生成する。制御部３３０は、生成された第１バッテリーセル負極電位と正極電位の差を第１バッテリーセル電圧値として生成し、第１バッテリーセル電圧値が第２動作電圧以上の場合、保護動作信号を含む保護制御信号ＣＯＮＴ２を生成して保護部３４０に伝送することができる。
【００４６】
また、制御部３３０は、第１バッテリー２１０の測定された正極電位から第３ラインＬ３による第３電圧降下を引いた値で前記第２バッテリーセル正極電位を生成する。制御部３３０は、第１バッテリー２１０の測定された負極電位に第４ラインＬ４による第４電圧降下を加えて第１バッテリーセル２１１負極電位を生成する。制御部３３０は、生成された第２バッテリーセル正極電位と負極電位の差を第２バッテリーセル電圧値として生成し、第２バッテリーセル電圧値が第２動作電圧以上の場合、保護動作信号を含む保護制御信号ＣＯＮＴ２を生成して保護部３４０に伝送することができる。
【００４７】
そこで、制御部３３０は、測定された少なくとも一つのバッテリーの電圧が既設定された第１動作電圧以上であるが、実質的に複数の電圧降下を考慮すれば保護動作が不必要な場合（バッテリーセル電圧値が第２動作電圧未満の場合）は、不必要な保護動作が行われることを防止することができる。
【００４８】
また、制御部３３０は、第２動作電圧調整部（図示せず）をさらに含み、第２動作電圧を調整することができる。
【００４９】
以上、説明の便宜のために、バッテリーが３個であり、各バッテリーに２個のバッテリーセルが並列連結されたことで説明したが、本提案発明は、これに制限されない。
【００５０】
図２は、本発明の実施形態に係るバッテリー保護方法を示したフローチャートである。以下、バッテリー保護システム１の各ステップ別の具体的構成および構成の具体的動作は、詳述した通りであるため省略する。
【００５１】
バッテリー保護システム１は、バッテリー部２０で少なくとも一つのバッテリー電圧を測定する。（Ｓ１０）
【００５２】
バッテリー保護システム１は、少なくとも一つのバッテリーの測定された正極電位から第１電圧降下および第３電圧降下を引いて前記第１バッテリーセルの正極電位を生成し、少なくとも一つのバッテリーの測定された負極電位に第２電圧降下および前記第４電圧降下を加えて前記第１バッテリーセルの負極電位を生成し、前記生成された前記第１バッテリーセルの正極電位と負極電位の差を前記第１バッテリーセル電圧値として生成する。（Ｓ２０）
【００５３】
また、バッテリー保護システム１は、Ｓ２０ステップにおいて、少なくとも一つのバッテリーの測定された正極電位から前記第３電圧降下を引いて前記第２バッテリーセルの正極電位を生成し、前記少なくとも一つのバッテリーの測定された負極電位に前記第４電圧降下を加えて前記第２バッテリーセルの負極電位を生成し、前記生成された前記第２バッテリーセルの正極電位と負極電位の差を前記第２バッテリーセル電圧値として生成する。
【００５４】
バッテリー保護システム１は、測定された少なくとも一つのバッテリー電圧が既設定された第１動作電圧以上であるかを判断し、測定された少なくとも一つのバッテリー電圧が既設定された第１動作電圧未満の場合は、少なくとも一つのバッテリー電圧を測定することができる。（Ｓ３０）
【００５５】
バッテリー保護システム１は、Ｓ３０ステップにおいて、測定された少なくとも一つのバッテリー電圧が前記第１動作電圧以上であると判断した場合、測定された少なくとも一つのバッテリー電圧が既設定された第１動作電圧以上であっても前記第１バッテリーセル電圧値が既設定された第２動作電圧以上であるかを判断する。（Ｓ４０）
【００５６】
バッテリー保護システム１は、第１バッテリーセル電圧値が既設定された第２動作電圧以上であると判断した場合、保護動作を行い、既設定された第２動作電圧未満の場合は、少なくとも一つのバッテリー電圧を測定することができる。（Ｓ５０）
【００５７】
また、バッテリー保護システム１は、第１動作電圧または第２動作電圧を調整することができる。
【００５８】
以上、本発明の一実施形態について説明したが、本発明の思想は、本明細書に提示される実施形態に制限されず、本発明の思想を理解する当業者は、同一の思想の範囲内で、構成要素の付加、変更、削除、追加等により他の実施形態を容易に提案することができるが、これも本発明の権利範囲内に属する。
【符号の説明】
【００５９】
１：バッテリー保護システム
２０：バッテリー部
３０：保護モジュール
２１０：第１バッテリー
２１１：バッテリーセル
２２０：第２バッテリー
２３０：第３バッテリー
３１１乃至３１４：測定端子
３２０：選択部
３３０：制御部
３４０：保護部
【図１】
2015050930.tif 000003
【図２】
2015050930.tif 000004